(57)【要約】      （修正有）【課題】ユーザーが差し込み部材を筺体に挿し込んで連結するクラスプであって、容易に製造可能であるとともに、斬新なデザインを有するクラスプを提供する。【解決手段】装飾用鎖状部材３０の一端側の端部３０ａに設けられる差し込み部材１０と、他端側の端部３０ｂに設けられた差し込み部材を磁力のある磁気誘導部材により吸着、または、係止機構により留める筐体２０と、からなるクラスプ１００であって、筐体は、支軸２０ａを介して開口する第１のフレーム２１と第２のフレーム２２とを備え、第１のフレーム及び第２のフレームのいずれか一方又は双方に、宝石等を入れることができる空間を作るとともに、空間を覆うように透明なガラス部をはめ込み、空間の中のある宝石等をガラス部を通して目で楽しむことができるようにした。【選択図】図１
2019213694.tif 000002
【特許請求の範囲】
【請求項１】
装飾用鎖状部材の一端側の端部に設けられる差し込み部材と、
他端側の端部に設けられた前記差し込み部材を磁力のある磁気誘導部材により吸着、または、係止機構により留める筐体と、
からなるクラスプであって、
前記筐体は、支軸を介して開口する第１のフレームと第２のフレームとを備え、
前記第１のフレーム及び前記第２のフレームのいずれか一方又は双方に、宝石等を入れることができる空間を作るとともに、前記空間を覆うように透明なガラス部をはめ込み、
前記空間の中のある宝石等を前記ガラス部を通して目で楽しむことができるようにしたことを特徴とするクラスプ。
【請求項２】
前記ガラス部は、透明な有機ガラスであって、アクリル又はプラスチックであることを特徴とする請求項１記載のクラスプ。
【請求項３】
前記ガラス部は、中の宝石等を大きく見せる凸面を有することを特徴とする請求項１又は請求項２に記載のクラスプ。
【請求項４】
指で取り外すための操作する部分を、前記第１のフレーム及び前記第２のフレームフレームのいずれか一方又は双方に設けて、前記操作する部分に半球部を設けたことを特徴とする請求項１から請求項３のいずれか一項に記載のクラスプ。
【発明の詳細な説明】
【技術分野】
【０００１】
本発明は、装飾品などに用いられるクラスプに関する。
【背景技術】
【０００２】
ネックレスやブレスレットなどの環状装身具に使用されるクラスプとして、差し込み部材と、開閉自在の筺体とを備え、筺体に差し込み部材が差し込まれ状態で連結される構成が知られている。例えば、下記特許文献１には、装飾用部材の一端側の端部に設けられる差し込み部材と、他端側の端部に設けられ差し込み部材を磁力のある磁気誘導部材により吸着させて留める筐体と、からなるクラスプが開示されている。また、下記特許文献２には、装飾用部材の一端側の端部に設けられる差し込み部材と、他端側の端部に設けられ差し込み部材を係止機構により留める筐体と、からなるクラスプが開示されている。
【先行技術文献】
【特許文献】
【０００３】
【特許文献１】特許第４８３８９１１号公報
【特許文献２】特開２０００−３１６６１６号公報
【発明の概要】
【発明が解決しようとする課題】
【０００４】
上述した構成のクラスプの筐体は、環状装身具をユーザーが身に付けて使用する際に、環状装身具の外観デザインの一部を構成する。したがって、このようなクラスプの筐体は、常に斬新なデザインのものが求められる。他方、従来のクラスプの筺体は、その材料コストや、加工容易性、耐久性などの観点から金属製が多い。その結果、従来のクラスプの筺体は、類似したデザインのものが多く、そのデザインの多様性に乏しかった。
【０００５】
本発明は、以上のような事情に鑑みてなされたもので、ユーザーが差し込み部材を筺体に挿し込んで連結するクラスプであって、容易に製造可能であるとともに、斬新なデザインを有するクラスプを提供することを目的とする。
【課題を解決するための手段】
【０００６】
本発明では、装飾用鎖状部材の一端側の端部に設けられる差し込み部材と、他端側の端部に設けられた差し込み部材を磁力のある磁気誘導部材により吸着、または、係止機構により留める筐体と、からなるクラスプであって、筐体は、支軸を介して開口する第１のフレームと第２のフレームとを備え、第１のフレーム及び第２のフレームのいずれか一方又は双方に、宝石等を入れることができる空間を作るとともに、空間を覆うように透明なガラス部をはめ込み、空間の中のある宝石等をガラス部を通して目で楽しむことができるようにしたことを特徴とする。
【０００７】
また、本発明では、ガラス部は、透明な有機ガラスであって、アクリル又はプラスチックであってもよい。また、ガラス部は、中の宝石等を大きく見せる凸面を有してもよい。また、指で取り外すための操作する部分を、第１のフレーム及び第２のフレームフレームのいずれか一方又は双方に設けて、操作する部分に半球部を設けてもよい。
【発明の効果】
【０００８】
本発明によれば、容易に製造可能であって斬新なデザインを有するクラスプを提供することができる。
【図面の簡単な説明】
【０００９】
【図１】実施形態に係るクラスプの一例を示す側面図である。
【図２】図１のクラスプの要部を示す分解斜視図である。
【図３】図１のクラスプの筺体を示し、（ａ）は斜視図、（ｂ）は要部断面図である。
【図４】看者がクラスプを目で楽しむことを説明する図である。
【図５】変形例を示す側面図である。
【発明を実施するための形態】
【００１０】
以下、本発明の実施形態について図面を参照しながら説明する。ただし、本発明は以下に説明する実施形態に限定されるものではない。また、図面においては、実施形態を説明するため、模式的に記載するとともに、一部分を大きくまたは強調して記載するなど適宜縮尺を変更して表現している。また、図４を除く各図において、ＸＹＺ座標系を用いて図中の方向を説明する。このＸＹＺ座標系は、筺体２０において、差し込み部材１０が差し込まれる方向と平行な方向をＸ方向と表記し、支軸２０ａと平行な方向をＺ方向と表記する。また、Ｘ方向及びＺ方向のいずれとも直交する方向をＹ方向と表記する。Ｘ方向、Ｙ方向、及びＺ方向のそれぞれは、図中の矢印の方向が＋方向であり、矢印の方向とは反対の方向が−方向であるものとして説明する。
【００１１】
図１は、実施形態に係るクラスプ１００の一例を示す側面図である。クラスプ１００は、例えば装身具用留め具である。図１に示すように、クラスプ１００は、例えば、ネックレスやブレスレットといった無端環状の環状装身具１に用いられ、装飾用鎖状部材３０に取り付けられて使用される。装飾用鎖状部材３０は、真珠やガラス玉などの珠玉３１が多数連接されて構成されるが、これに限定されず、例えばチェーンや紐など種々の構成が適用可能である。クラスプ１００は、差し込み部材１０と筐体２０とを含んで構成される。
【００１２】
差し込み部材１０は、装飾用鎖状部材３０の一端側の端部３０ａに設けられる。差し込み部材１０は、筺体２０に対して、先端１１ａ，１２ａから＋Ｘ方向に差し込み可能となっている。差し込み部材１０は、筺体２０に差し込まれることにより、筺体２０と連結するように形成されている。差し込み部材１０は、図１に示す差し込み部材１１、あるいは同図に示す差し込み部材１２の構成である。すなわち、差し込み部材１０は、その先端１１ａにおいて後述する筺体２０の磁気誘導部材に吸着する部材を備えた構成（図１に示す差し込み部材１１）、あるいは、後述する筺体２０の係止機構に係止される係止溝１２ｂを備えた構成（図１に示す差し込み部材１２）である。差し込み部材１０は、金属製であるが、これに限定されず、例えば、磁気誘導部材に吸着する部材として磁石が用いられてもよい。
【００１３】
筐体２０は、装飾用鎖状部材３０の他端側の端部３０ｂに設けられる。筐体２０は、開閉自在であるとともに、差し込み部材１０を差し込み可能に形成されている。また、筐体２０は、閉じる方向に付勢されており、差し込まれた差し込み部材１０を挟み込んだ状態で保持するように形成されている。筐体２０は、差し込み部材１０が差し込まれた状態で差し込み部材１０と連結される。筐体２０は、差し込み部材１１を磁力により吸着させる磁気誘導部材（不図示）を備えるが、磁気誘導部材に代えてあるいは磁気誘導部材とともに、差し込み部材１１，１２を係止する係止機構（不図示）を備えてもよい。なお、磁気誘導部材および係止機構は、筺体２０に差し込まれた差し込み部材１０を吸着あるいは係止させるものであればよい。したがって、磁気誘導部材および係止機構としては、公知の種々の構成が適用可能である。
【００１４】
筐体２０は、略球体形状に形成されている。筐体２０は、支軸２０ａと、第１のフレーム２１と、第２のフレーム２２とを備えている。支軸２０ａは、第１のフレーム２１および第２のフレーム２２を軸支する。支軸２０ａは、Ｚ軸と平行な１本の丸棒状部材から形成されるが、これに限定されず、例えば、Ｚ軸と平行な同一直線状に配置された複数本の棒状部材から構成されてもよいし、棒部材ではなく突起などから構成されてもよい。第１のフレーム２１および第２のフレーム２２のそれぞれは、略半球形状に形成されるとともに、支軸２０ａ周りに回動可能に軸支されている。また、第１のフレーム２１および第２のフレーム２２のそれぞれは、互いの先端部（−Ｘ側の端部）が近接する方向に付勢されている。第１のフレーム２１と第２のフレーム２２とは、例えば、Ｙ方向から見て互いに重なるように配置されている。第２のフレーム２２は、第１のフレーム２１の−Ｙ側に配置されている。なお、筐体２０は、略球体形状に限定されず、例えば略立方体形状や略直方体形状といった箱型や、略長球状などであってもよい。また、第１のフレーム２１および第２のフレーム２２のそれぞれは、略半球形状に限定されず、例えば略立方体形状や略直方体形状といった箱型や、長円球を平面で切り取った形状などであってもよい。
【００１５】
図２は、クラスプ１００の要部を示す分解斜視図である。図２に示すように、第１フレーム２１は、第１フレーム本体２１ａと、第１ガラス部材（ガラス部）２１ｂと、飾部材２１ｃと、を有している。
【００１６】
第１フレーム本体２１ａの外側の表面（＋Ｙ側の面）には、凹部４０が形成されている。凹部４０は、底部２１ｄと、周辺部２１ｅと、側壁部２１ｆとを有している。底部２１ｄは、例えば、Ｙ方向から見て円形状であって−Ｙ側に凹んだ曲面状に形成されている。周辺部２１ｅは、底部２１ｄを囲む領域に形成される。また、周辺部２１ｅは、例えば円環状に形成され、ＸＺ平面と平行な平面となっている。周辺部２１ｅは、後述する第１ガラス部材２１ｂの平面２１ｈと対向し、この平面２１と接合する接合面である。側壁部２１ｆは、周辺部２１ｅの外縁から開口４０ａまで＋Ｙ方向に延びるように形成されている。また、側壁部２１ｆおよび開口４０ａは、第１ガラス部材２１ｂをはめ込み可能に形成されている。第１フレーム本体２１ａは、例えば金属製である。
【００１７】
第１ガラス部材２１ｂは、その厚さ方向（Ｙ方向）から見た形状が真円形の平凸レンズ形状に形成されている。第１ガラス部材２１ｂの外側の表面（＋Ｙ側の面）は、曲面状の凸面２１ｇとなっている。また、第１ガラス部材２１ｂの凸面２１ｇと反対側の面（−Ｙ側の面）は、ＸＺ平面と平行な平面２１ｈとなっている。第１ガラス部材２１ｂは凹部４０にはめ込み可能に形成されており、第１ガラス部材２１ｂの外径は、凹部４０の開口４０ａの内径以下の長さに設定される。第１ガラス部材２１ｂは、凸レンズの機能を有する。
【００１８】
第１ガラス部材２１ｂは、その全体が透明であるが、全体ではなく一部が透明であってもよい。第１ガラス部材２１ｂは、ケイ酸塩を主成分とするガラス（硝子）である。第１ガラス部材２１ｂは無色である。
【００１９】
なお、第１ガラス部材２１ｂは、上述した構成に限定されない。例えば、ガラス部材２１ｂは、ケイ酸塩を主成分とするガラスに代えて、透明な有機ガラスであってもよく、例えばアクリルやプラスチックなどであってもよい。ガラス部材２１ｂは、アクリルやプラスチックなどの樹脂から形成される場合には、ケイ酸塩を主成分とするガラスの場合に比べて、軽量化されるとともに、その割れや欠けが抑制される。また、第１ガラス部材２１ｂは、平凸レンズ形状に代えて、両凸レンズや凸メニスカスレンズといった平凸レンズ以外の凸レンズの形状であってもよい。また、第１ガラス部材２１ｂは、凸レンズに代えて、凹レンズであってもよい。また、第１ガラス部材２１ｂは、レンズとしての機能を有なない構成であってもよく、レンズ形状とは異なる形状であってもよい。また、第１ガラス部材２１ｂの外側の表面（＋Ｙ側の面）は、凸面２１ｇであることに限定されず、例えば、平面や凹面であってもよいし、凹凸のデザインが施されてもよい。また、第１ガラス部材２１ｂは、厚さ方向から見た形状は、真円形に限定されず、楕円形状や、長円形状、多角形状などであってもよい。また、第１ガラス部材２１ｂは、有色であってもよく、太陽光や紫外線によってその色が変化する調光レンズと同様の構成であってもよい。
【００２０】
図３は、クラスプ１００の筺体２０を示し、（ａ）は斜視図、（ｂ）は要部断面図である。図３に示すように、第１ガラス部材２１ｂは、凹部４０の開口４０ａを塞ぐように凹部４０にはめ込まれている。平面２１ｈと周辺部２１ｅとの間には、例えば接着剤などの接合材（不図示）が配置されており、この接合材を介して、平面２１ｈと周辺部２１ｅとが接合されている。このように、第１ガラス部材２１ｂと第１フレーム本体２１ａとが接合されている。なお、第１ガラス部材２１ｂは、凹部４０に対して回転しながらはめ込まれてもよい。また、凹部４０にはめ込まれた第１ガラス部材２１ｂは、第１フレーム本体２１ａと接合されることに限定されず、例えば、第１フレーム本体２１ａに係止された状態であってもよい。この場合、かかる係止の解除によって、第１フレーム本体２１ａから第１ガラス部材２１ｂを容易に取り外すことが可能な構成としてもよい。
【００２１】
このように、開口４０ａを塞ぐように第１ガラス部材２１ｂが凹部４０にはめ込まれることにより、図３（ｂ）に示すように、ガラス部材２１ｂと凹部４０との間には、収容空間５０が形成される。この収容空間５０は、平面２１ｈと底面２１ｄにより画定され、飾部材（宝石等）２１ｃを収容する。なお、飾部材２１ｃの錆びや劣化を防止するため、飾部材２１ｃは、収容空間５０に気密封止されてもよい。
【００２２】
飾部材２１ｃは、多数個の宝石Ｊおよび１枚のプレートＰから構成される。宝石Ｊは、例えば、シングルカットやスクウェアカットなどの所定カットに形成された粒状のダイヤモンドである。プレートＰは、例えば、金属製の板であり、その主面には、文字を表したデザインが施されている。この文字は、例えば、環状装身具１のユーザーのイニシャルであるが、イニシャルに代えて、氏名やメッセージなどであってもよい。
【００２３】
なお、飾部材２１ｃは、多数個の宝石Ｊおよび１枚のプレートＰから構成されることに限定されない。飾部材２１ｃの形状、大きさ、個数は、飾部材２１ｃが収容空間５０に収容可能である限りにおいて任意である。また、その他、飾部材２１ｃの素材、色、組み合わせなどについても任意である。したがって、ユーザーの嗜好や希望に応じて、飾部材２１ｃの構成を決定することが可能である。例えば、飾部材２１ｃは、宝石ＪのみあるいはプレートＰのみから構成されてもよいし、複数枚のプレートＰを含む構成であってもよい。また、飾部材２１ｃを構成する宝石Ｊとしては、ルビー、サファイアなどの天然宝石や、人工宝石、ガラスなどから形成された模造宝石などが用いられてもよい。
【００２４】
飾部材２１ｃは、凹部４０あるいは第１ガラス部材２１ｂに固着されておらず、収容空間５０内において移動及び回転が可能に収容されている。飾部材２１ｃの構成部材（例えば宝石Ｊ及びプレートＰ）は、収容空間５０内において、それぞれ移動及び回転することにより配置及び向きが変化する。なお、飾部材２１ｃの構成部材の一部あるいは全部は、第１フレーム２１（凹部４０あるいは第１ガラス部材２１ｂ）に固着されてもよい。この場合、例えば、飾部材２１ｃの構成部材のうちプレートＰのみを第１フレーム２１に固着させて、宝石Ｊのみが収容空間５０内を移動あるいは回転する構成としてもよい。また、飾部材２１ｃの構成部材は、収容空間５０においてその移動や回転が規制された状態で収容されてもよい。
【００２５】
第２のフレーム２２は、第１のフレーム２１と同様に、第２フレーム本体２２ａと、第２ガラス部材（ガラス部）２２ｂと、不図示の飾部材（宝石等）とを有している。ただし、第２のフレーム２２は、第２ガラス部材２２ｂ及び飾部材のいずれか一方又は双方を含まずに構成されてもよい。
【００２６】
第２フレーム本体２２ａは、第１フレーム本体２１ａと同一の構成であり、第１フレーム本体２１ａの凹部４０と同一構成の凹部（不図示）を有している。第２ガラス部材２２ｂは、第１ガラス部材２１ｂと同一の構成である。第２のフレーム２２の飾部材は、第１のフレーム２１の飾部材２１ｃと同一の構成である。第２フレーム本体２２ａの凹部は、凹部４０と、支軸２０ａを含む仮想のＸＺ平面に対して対称的に配置されている。第２ガラス部材２２ｂは、第１ガラス部材２１ｂと、支軸２０ａを含む仮想のＸＺ平面に対して対称的に配置されている。第２ガラス部材２２ｂの−Ｙ側の表面は、上述した凸面２１ｇと同一構成の凸面２２ｇとなっている。
【００２７】
なお、第２フレーム本体２２ａは、第１フレーム本体２１ａと異なる構成であってもよく、この場合、第２フレーム本体２２ａにおいて凹部は設けられなくてもよいし、第２フレーム本体２２ａの凹部は第１フレーム本体２１ａの凹部４０と異なる構成であってもよい。また、第２ガラス部材２２ｂは、第１ガラス部材２１ｂと異なる構成であってもよい。また、第２のフレーム２２の飾部材は、第１のフレーム２１の飾部材２１ｃと異なる構成であってもよい。また、第２フレーム本体２２ａの凹部は、凹部４０と、支軸２０ａを含む仮想のＸＺ平面に対して非対称的に配置されてもよい。また、第２ガラス部材２２ｂは、第１ガラス部材２１ｂと、支軸２０ａを含む仮想のＸＺ平面に対して非対称的に配置されてもよい。
【００２８】
図４は、ユーザーなどの看者がクラスプ１００の飾部材２１ｃを目で楽しむことを説明する図である。上述のとおり、ガラス部材２１ｂ，２２ｂと凹部４０との間に形成された収容空間５０には飾部材２１ｃが収容されている。したがって、図４に示すように、看者は、ガラス部材２１ｂを介して飾部材２１ｃを目Ｅで楽しむことができる。また、飾部材２１ｃは移動及び回転可能に収容されているので、飾部材２１ｃの移動あるいは回転の動きを目Ｅで楽しむことができる。さらに、ガラス部材２１ｂは凸レンズとして機能するため、看者からは、ガラス部材２１ｂを介して拡大された飾部材２１ｃが見えることになる。したがって、看者は、飾部材２１ｃあるいはその動きを拡大して見ることで、より一層楽しむことができる。
【００２９】
次に、クラスプ１００の製造工程の一例について説明する。
クラスプ１００は、差し込み部材１０及び筺体２０をそれぞれ形成することにより製造される。差し込み部材１０は、金属材料を用いた鋳造や切削加工などにより一体形成される。筺体２０は、第１のフレーム２１、第２のフレーム２２、及び支軸２０ａを用意し、支軸２０ａにより第１のフレーム２１及び第２のフレーム２２を軸支することで形成される。
【００３０】
ここで、支軸２０ａは、例えば、金属製の円柱形の丸棒が用意され、切削や切断加工されて、所定の外径かつ長さに形成される。また、第１のフレーム２１は、第１フレーム本体２１ａと、第１ガラス部材２１ｂと、飾部材２１ｃとが用意され、凹部４０に飾部材２１ｃを配置した上で第１ガラス部材２１ｂがはめ込まれることにより形成される。ここで、第１フレーム本体２１ａは、金属材料を用いた鋳造や切削加工などにより形成される。また、第１ガラス部材２１ｂは、ガラス材が用意され、切削及び研磨加工などにより形成される。第２のフレーム２２についても、上述した第１のフレーム２１の形成工程と同様の工程により形成されて用意される。
【００３１】
続いて、クラスプ１００の使用方法の一例について説明する。
図１に戻り、ユーザーは、装飾用鎖状部材３０の一端側の端部３０ａに差し込み部材１０を接続するとともに、装飾用鎖状部材３０の他端側の端部３０ｂに筺体２０を接続する。このようにして、ユーザーは環状装身具１を製造する。なお、装飾用鎖状部材３０は、例えば、多数個の珠玉３１に糸などを挿通させることにより、多数個の珠玉３１が連接され形成される。
【００３２】
ユーザーは、環状装身具１を身に付ける際には、左右両手のうち一方の手で差し込み部材１０を、他方の手で筺体２０を把持し、筺体２０に差し込み部材１０を差し込む。これにより、筺体２０に差し込まれた差し込み部材１０は、筺体２０に係止されあるいは吸着されて連結される。
【００３３】
具体的には、例えば、ユーザーが、図１に示す差し込み部材１１を有するクラスプ１００を連結する場合、ユーザーは、筺体２０の基端部（＋Ｘ側の端部）を指でＹ方向に挟み込むように操作することにより、筺体２０を開いた状態とし、そこに差し込み部材１１を差し込む。すると、筺体２０に差し込まれた差し込み部材１１は、筺体２０の磁気誘導部材に吸着する。その後、ユーザーが筺体２０を開く力を弱めて筺体２０を閉じるように操作することで、差し込み部材１０は筺体２０に保持（あるいは係止）される。これにより、クラスプ１００の連結が完了する。
【００３４】
また、例えば、ユーザーが、図１に示す差し込み部材１２を有するクラスプ１００を連結する場合、ユーザーは、差し込み部材１２をその先端側から筺体２０に対して＋Ｘ方向に差し込む。すると、第１のフレーム２１及び第１のフレーム２２のそれぞれの先端部（−Ｘ側の端部）が、差し込み部材１０の側面において周方向に沿って形成された係止溝１２ｂに入り込み、差し込み部材１０は筺体２０に係止される。これにより、クラスプ１００の連結が完了する。
【００３５】
他方、ユーザーが身に付けた環状装身具１を外す際には、ユーザーは、左右両手のうち一方の手で差し込み部材１０を把持し、他方の手で筺体２０を把持する。そして、ユーザーは、指で筺体２０を開かせる。すなわち、ユーザーは、第１のフレームの先端部（−Ｘ側の端部）と第２のフレームの先端部（−Ｘ側の端部）とを互いに離間させるように操作する。すると、筺体２０による差し込み部材１０の係止（保持）が解除される。この状態で、筺体２０から差し込み部材１０を−Ｘ方向に引き離す。これにより、クラスプ１００の連結が解除される。
【００３６】
以上説明した実施形態にかかるクラスプ１００によれば、容易に製造可能であって斬新なデザインを有するクラスプ１００を提供することができる。すなわち、第１のフレーム２１及び第２のフレーム２２の双方に、飾部材２１ｃを収容可能な収容空間５０を作るとともに、収容空間５０を覆うように透明なガラス部材２１ｂ，２２ｂを凹部４０にはめ込むだけで、収容空間５０の中のある飾部材２１ｃをガラス部材２１ｂ，２２ｂを通して目で楽しむことができる斬新なデザインのクラスプ１００を提供することができる。
【００３７】
また、上述したクラスプ１００によれば、筺体２０には宝石Ｊが収容されているので、ジュエリーのような美的外観を有するクラスプを提供することができる。また、上述したクラスプ１００によれば、その留め具としての機能を阻害することなく、クラスプ１００を、装飾用鎖状部材３０のデザインと調和させたデザインとすることや、環状装身具１においてポイントとなるデザインとすることができる。また、上述したクラスプ１００によれば、飾部材２１ｃの構成は収容空間５０に収容可能である限りにおいて任意であるので、ユーザーは飾部材２１ｃを自己の好みに応じてカスタマイズして楽しむことができる。例えば、ユーザーは、飾部材２１ｃとして、自身が好む宝石Ｊやメッセージの入ったプレートＰを採用することができる。また、上述したクラスプ１００によれば、振動や衝撃といった外力が筺体２０に対して作用することにより、あるいは、筺体２０の向きの変化に伴い、収容空間５０において飾部材２１ｃの配置や向きが変化する。例えば、ユーザーがクラスプ１００を身に付けて体を動かした場合、この動きに合わせて、飾部材２１ｃの配置や向きが変化する。したがって、クラスプ１００の看者は、このような飾部材２１ｃの配置や向きの変化を目Ｅで楽しむことができる。また、筺体２０は、略球体に形成されているので、クラスプ１００がひっくり返った（Ｙ方向の＋と−とが逆になった）場合であっても、同一の美的外観とすることができる。また、上述したクラスプ１００によれば、看者はガラス部材２１ｂ，２２ｂを介して拡大された飾部材２１ｃを見るので、看者にインパクトを与えることができる。また、筺体２０は、＋Ｙ側及び−Ｙ側の両側の表面にそれぞれガラス部材２１ｂ，２２ｂを備えるので、従来の金属製の筺体にはないデザインとすることができる。
【００３８】
続いて、上述した実施形態における筺体の変形例について説明する。なお、以下の変形例に係る説明において、上述したクラスプ１００と同一または同等の構成部分については同一符号を付して説明を省略または簡略化する。図５は、変形例を示す側面図である。図５に示すように、変形例に係る筺体２２０は、上述した筺体２０と同様に、差し込み部材１２を差し込み可能に形成されるとともに、不図示の磁気誘導部材若しくは係止機構を備えている。また、変形例に係る筺体２２０は、上述した筺体２０と同様に、支軸２０ａと、第１のフレーム２２１と、第２のフレーム２２２とを備えている。
【００３９】
第１のフレーム２２１は、第１操作部分６０を備える点を除き、上述した第１のフレーム２１と同様の構成である。また、第２のフレーム２２２は、第２操作部分７０を備える点を除き、上述した第２のフレーム２２と同様の構成である。第１操作部分６０及び第２操作部分７０は、クラスプの筺体２２０を開く際に、ユーザーが指で操作する部分である。すなわち、第１操作部分６０及び第２操作部分７０は、筺体２２０に差し込まれた差し込み部材１２を指で筺体２２０から取り外すために操作する部分である。なお、変形例に係る筺体２２０において、第１操作部分６０及び第２操作部分７０のいずれか一方は設けられなくてもよい。
【００４０】
第１のフレーム２２１の第１操作部分６０は、第１延在部６１と第１半球部６２とを有している。第１延在部６１は、第１フレーム本体２１ａの＋Ｘ側の端部から＋Ｘ方向に延びるように形成されている。第１延在部６１は、第１フレーム本体２１ａと一体的に設けられている。第１延在部６１は、例えば、ＸＺ平面と平行な平板状に形成されている。第１半球部６２は、第１延在部６１と一体的に形成されており、第１延在部６１の＋Ｙ側の表面に設けられている。第１半球部６２は、球を１つの平面で切り取った外形状を呈し、略半球形状に形成されている。第１半球部６２の＋Ｙ側の表面は、例えば一定曲率の曲面６２ａである。
【００４１】
第１延在部６１は、例えば金属製である。第１半球部６２は、樹脂製であるが、これに限定されず、金属製や、木製、陶器製、石製などであってもよく、例えば人工真珠あるいは天然真珠を２つに割ったものが用いられてもよい。
【００４２】
第２のフレーム２２２の第２操作部分７０は、上述した第１のフレーム２２１の第１操作部分６０と同様に、第２延在部７１と第２半球部７２とを有している。第２延在部７１は、第２フレーム本体２２ａの＋Ｘ側の端部から＋Ｘ方向に延びるように形成されている。第２延在部７１は、第２フレーム本体２２ａと一体的に設けられている。第２延在部７１は、例えば、ＸＺ平面と平行な平板状に形成されている。第２半球部７２は、第２延在部７１と一体的に形成されており、第２延在部７１の−Ｙ側の表面に設けられている。第２半球部７２は、球を１つの平面で切り取った形状を呈し、略半球状に形成されている。第２半球部７２の−Ｙ側の表面は、例えば一定曲率の曲面７２ａである。第２延在部７１は、第１延在部６１と同一の構成であるが、異なる構成であってもよい。第２半球部７２は第１半球部６２と同一の構成であるが、異なる構成であってもよい。
【００４３】
変形例に係る筺体２２０の製造工程については、上述した筺体２０の製造工程と同様である。ただし、第１延在部６１は、第１フレーム本体２１ａと一体形成されるか、あるいは第１フレーム本体２１ａに固着されるなどして固定される。同様に、第２延在部７１は、第２フレーム本体２２ａと一体形成されるか、あるいは第２フレーム本体２２ａに固着されるなどして固定される。また、第１半球部６２は、その平面（−Ｙ側の表面）を、第１延在部６１の＋Ｙ側の表面と接合させるなどして設けられるが、第１延在部６１と一体形成されてもよい。同様に、第２半球部７２は、その平面（＋Ｙ側の表面）を、第２延在部７１の−Ｙ側の表面に接合させるなどして設けられるが、第２延在部７１と一体形成されてもよい。
【００４４】
変形例に係る筺体２２０を備えるクラスプの使用方法は、上述したクラスプ１００の使用方法と同様である。ただし、ユーザーが筺体２２０を開く操作を行う際には、ユーザーは、第１操作部分６０及び第２操作部分７０を、指で互いに近接する方向（図５の矢印Ａの方向）に力を加えて操作する。これにより、第１のフレーム２２１の先端部（−Ｘ側の端部）及び第２のフレーム２２２の先端部（−Ｘ側の端部）が互いに離間（図５の矢印Ｂの方向に移動）し、筺体２２０は開かれた状態となる。
【００４５】
以上説明した変形例にかかる筺体２２０を備えるクラスプによれば、ユーザーは、曲面６２ａ，７２ａを指で同時に押すだけで筺体２２０を容易に開くことができるので、クラスプの連結あるいは連結解除時の筺体２２０の操作を容易かつ確実に行うことができる。
【００４６】
以上、実施形態について説明したが、本発明は、上述した説明に限定されるものではなく、本発明の要旨を逸脱しない範囲において種々の変更が可能である。
【符号の説明】
【００４７】
１０  差し込み部材
２０  筺体
２０ａ  支軸
２１  第１のフレーム
２１ｂ  第１ガラス部材（ガラス部）
２１ｃ  飾部材（宝石等）
２１ｇ  凸面
２２  第２のフレーム
２２ｂ  第２ガラス部材（ガラス部）
２２ｇ  凸面
３０  装飾用鎖状部材
３０ａ，３０ｂ  端部
５０  収容空間（空間）
６２  第１半球部（半球部）
７２  第２半球部（半球部）
１００  クラスプ
Ｅ  目
【図１】
2019213694.tif 000003
【図２】
2019213694.tif 000004
【図３】
2019213694.tif 000005
【図４】
2019213694.tif 000006
【図５】
2019213694.tif 000007